(57)【要約】【課題】暗所において視認し易く、視野と目標物とのコントラストが低減するのを防止することができる指標を備えた光学機器を提供すること。【解決手段】天体望遠鏡１は、天体を拡大して観察するものであり、主鏡２と、主鏡２の側部に設けられた副鏡３（ファインダー）とを備えている。副鏡３は、円筒状の鏡筒３０と、この鏡筒３０内において、その先端側に設けられた対物レンズ系３１と、基端側に設けられた接眼レンズ系３２と、これらの間に設けられ、有機ＥＬ素子４で構成された十字線とを備えている。このような天体望遠鏡１は、副鏡３の内部に設けられた十字線の交点に観察対象の天体を位置させることにより、主鏡２の視野内に観察対象の天体を確実に導入することができる。【選択図】図１
2005140867.tif 000002
【特許請求の範囲】
【請求項１】
ファインダーと、該ファインダーの視野内に見える指標とを備える光学機器であって、
前記指標を有機エレクトロルミネッセンス素子で構成したことを特徴とする光学機器。
【請求項２】
前記光学機器は、主鏡と前記ファインダーとしての副鏡とを備える天体望遠鏡であり、
前記指標は、前記副鏡に設けられた十字線である請求項１に記載の光学機器。
【請求項３】
前記副鏡は、対物レンズ系と接眼レンズ系とを有し、
前記十字線は、前記対物レンズ系と前記接眼レンズ系との間に設けられている請求項２に記載の光学機器。
【請求項４】
前記十字線は、前記対物レンズ系の焦点位置付近に設けられている請求項３に記載の光学機器。
【請求項５】
前記有機エレクトロルミネッセンス素子は、一対の電極を有し、
前記一対の電極のうちの少なくとも一方の電極は、前記指標に対応した形状をなしている請求項１ないし４のいずれかに記載の光学機器。
【請求項６】
前記一対の電極は、いずれも、実質的に透明である請求項１ないし５のいずれかに記載の光学機器。
【請求項７】
前記有機エレクトロルミネッセンス素子は、封止部材により封止されている請求項１ないし６のいずれかに記載の光学機器。
【請求項８】
前記封止部材は、主としてガラス材料で構成されている請求項７に記載の光学機器。
【発明の詳細な説明】
【技術分野】
【０００１】
本発明は、光学機器に関するものである。
【背景技術】
【０００２】
目標物を観察（観測）するファインダーを備える装置として、例えば、望遠鏡や測量機等が知られている。
望遠鏡の一つである天体望遠鏡は、高倍率で天体（目標物）を観察するための主鏡と、ファインダーとして、主鏡の視野内に観察対象の天体を導入するのを補助する副鏡とを有している。
【０００３】
このような天体望遠鏡は、副鏡の内部に設けられた十字線の交点に観察対象の天体を位置させることにより、主鏡の視野内に観察対象の天体を導入し得るよう構成されている。
ここで、従来の十字線は、ピアノ線等を用いて構成されているため、肉眼では、黒色に見える。このため、天体を観察するような暗所においては、十字線の視認が極めて困難であった。
かかる問題点を解決するために、例えば、特許文献１に記載のような方法を採用して、十字線を光源により照明することも行われている。
ところが、この場合、天体と視野とのコントラストが著しく低減してしまい、特に、暗い天体の視認が極めて困難となるという問題が生じる。
【０００４】
【特許文献１】実開平５−６２８１５号公報
【発明の開示】
【発明が解決しようとする課題】
【０００５】
本発明の目的は、暗所において視認し易く、視野と目標物とのコントラストが低減するのを防止することができる指標を備えた光学機器を提供することにある。
【課題を解決するための手段】
【０００６】
このような目的は、下記の本発明により達成される。
本発明の光学機器は、ファインダーと、該ファインダーの視野内に見える指標とを備える光学機器であって、
前記指標を有機エレクトロルミネッセンス素子で構成したことを特徴とする。
これにより、暗所においても指標を視認し易く、視野と目標物とのコントラストが低減するのを防止することができる。
【０００７】
本発明の光学機器は、主鏡と前記ファインダーとしての副鏡とを備える天体望遠鏡であり、
前記指標は、前記副鏡に設けられた十字線であることが好ましい。
これにより、暗所においても十字線を視認し易く、視野と目標物とのコントラストが低減するのを防止することができる。
【０００８】
本発明の光学機器では、前記副鏡は、対物レンズ系と接眼レンズ系とを有し、
前記十字線は、前記対物レンズ系と前記接眼レンズ系との間に設けられていることが好ましい。
これにより、観察対象の天体をより確実に位置合わせできる。
本発明の光学機器では、前記十字線は、前記対物レンズ系の焦点位置付近に設けられていることが好ましい。
これにより、観察対象の天体をより確実に位置合わせできる。
【０００９】
本発明の光学機器では、前記有機エレクトロルミネッセンス素子は、一対の電極を有し、
前記一対の電極のうちの少なくとも一方の電極は、前記指標に対応した形状をなしていることが好ましい。
本発明の光学機器では、前記一対の電極は、いずれも、実質的に透明であることが好ましい。
これにより、目標物の観察をより確実に行うことができる。
【００１０】
本発明の光学機器では、前記有機エレクトロルミネッセンス素子は、封止部材により封止されていることが好ましい。
これにより、有機エレクトロルミネッセンス層の変質・劣化を防止して、有機エレクトロルミネッセンス素子の信頼性を向上させることができる。
本発明の光学機器では、前記封止部材は、主としてガラス材料で構成されていることが好ましい。
これにより、有機エレクトロルミネッセンス素子の光透過性の向上を図ることができる。
【発明を実施するための最良の形態】
【００１１】
以下、本発明の光学機器を添付図面に示す好適な実施形態に基づいて詳細に説明する。
図１は、本発明の光学機器を天体望遠鏡に適用した場合の実施形態を示す斜視図、図２は、図１に示す天体望遠鏡が備える副鏡の内部構成を示す図、図３は、図２に示す副鏡が備える十字線を構成する有機エレクトロルミネッセンス素子の分解斜視図、図４は、図３に示す有機エレクトロルミネッセンス素子の縦断面図、図５は、図３に示す有機エレクトロルミネッセンス素子が備える電極の他の構成例を示す平面図である。なお、以下の説明では、図２中、右側を「先端」、左側を「基端」と言う。
【００１２】
＜天体望遠鏡（光学機器）＞
図１に示す天体望遠鏡１は、天体を拡大して観察するものであり、主鏡２と、主鏡２の側部に設けられた副鏡３（ファインダー）とを備え、主鏡２が、図示しない三脚（支持部）に固定されている。
主鏡２は、視野内に目的とする天体を導入し、拡大して観察するために使用され、一方、副鏡３は、主鏡２の視野内に目的とする天体を導入するのを補助するために使用される。
【００１３】
副鏡３は、図１および図２に示すように、円筒状の鏡筒３０と、この鏡筒３０内において、その先端側に設けられた対物レンズ系３１と、基端側に設けられた接眼レンズ系３２と、これらの間に設けられた十字線とを備えている。
対物レンズ系３１は、互いに接合された両凹レンズ３１１と両凸レンズ３１２との２枚のレンズで構成されている。
【００１４】
接眼レンズ系３２は、平凸レンズ３２１と、この平凸レンズ３２１と離間して設けられ、互いに接合された両凹レンズ３２２と両凸レンズ３２３との３枚のレンズで構成されている。
副鏡３の先端部から入射した光は、対物レンズ系３１、十字線および接眼レンズ系３２を順次通過して、観測者の目に入ることとなる。
【００１５】
このような天体望遠鏡１は、副鏡３の内部に設けられた十字線の交点に観察対象の天体を位置させることにより、主鏡２の視野内に観察対象の天体を確実に導入することができる。
特に、本実施形態では、十字線が対物レンズ系３１の焦点位置付近に設けられている。
これにより、観察対象の天体をより確実に位置合わせできるように構成されている。
【００１６】
本発明では、十字線を有機エレクトロルミネッセンス素子（以下、「有機ＥＬ素子」と言う。）で構成したことに特徴を有する。
ここで、十字線をピアノ線等で構成した場合、肉眼では、黒色に見えるため、暗所において、十字線の視認が極めて困難となる。また、これを解消すべく、十字線を光源により照明する構成とすることもできるが、この場合、天体と視野とのコントラストが著しく低減してしまい、特に、暗い天体の視認が極めて困難となる。
【００１７】
これに対して、本発明では、十字線を有機ＥＬ素子で構成したことにより、Ｉ：十字線自体が発光するので、暗所においても十字線を視認し易く、容易に十字線の交点に目的とする天体を位置させることができ、II：十字線の発光輝度の調整が容易であるため、発光輝度を適度に調整することにより、暗い天体を観察する場合においても、天体と十字線とのコントラストを十分に確保することができ、III：十字線の発光を停止させることにより、十字線が見えない状態として、天体の観察を行うことができるという効果が得られる。
以下、十字線を構成する有機ＥＬ素子について説明する。
【００１８】
＜有機ＥＬ素子＞
図４に示す有機ＥＬ素子４は、基板４１と、基板４１上に設けられた陽極４２と、陽極４２上に設けられた有機ＥＬ層４３と、有機ＥＬ層４３上に設けられた陰極４４と、各前記層４２、４３、４４を覆うように設けられた保護カバー（封止部材）４５とを備えている。
【００１９】
前述したように、有機ＥＬ素子４で構成された十字線は、対物レンズ系３１と接眼レンズ系３２との間に設けられ、光を透過させて使用する。このため、有機ＥＬ素子４を構成する基板４１、陽極４２、陰極４４、保護カバー（保護部材）４５は、光透過性（透光性）を有するもの、すなわち、実質的に透明（無色透明、着色透明、半透明）とされている。
【００２０】
基板４１は、有機ＥＬ素子４の支持体となるものであり、この基板４１上に各前記層が形成されている。
基板４１の構成材料としては、例えば、ポリエチレンテレフタレート、ポリエチレンナフタレート、シクロオレフィンポリマー、ポリアミド、ポリメチルメタクリレート、ポリアリレートのような各種樹脂材料や、各種ガラス材料等が挙げられ、これらのうちの１種または２種以上を組み合わせて用いることができる。
【００２１】
基板４１の厚さ（平均）は、特に限定されないが、０．１〜３０ｍｍ程度であるのが好ましく、０．１〜１０ｍｍ程度であるのがより好ましい。
陽極４２は、有機ＥＬ層４３（後述する正孔注入層４３１）に正孔を注入する電極である。
このような陽極材料としては、例えば、ＩＴＯ（Ｉｎｄｉｕｍ  Ｔｉｎ  Ｏｘｉｄｅ）、ＩＺＯ（Ｉｎｄｉｕｍ  Ｚｉｒｃｏｎｉｕｍ  Ｏｘｉｄｅ）、ＩＣｓＯ（Ｉｎｄｉｕｍ  Ｃｅｓｉｕｍ  Ｏｘｉｄｅ）、ＳｎＯ2、Ｓｂ含有ＳｎＯ2、Ａｌ含有ＺｎＯ等の酸化物（透明導電性酸化物）等が挙げられ、これらのうちの１種または２種以上を組み合わせて用いることができる。
【００２２】
なお、陽極材料には、例えば、ポリチオフェン、ポリピロール等の各種導電性樹脂材料、Ａｕ、Ｐｔ、Ａｇ、Ｃｕまたはこれらを含む合金等の各種金属材料を用いることもできる。
陽極４２の厚さ（平均）は、特に限定されないが、１０〜５００ｎｍ程度であるのが好ましく、３０〜３００ｎｍ程度であるのがより好ましい。陽極４２の厚さが薄すぎると、陽極４２としての機能が充分に発揮されなくなるおそれがあり、一方、陽極４２が厚過ぎると膜の電気抵抗が非常に大きくなり、かつ陽極材料の種類等によっては、光の透過率が著しく低下し、実用に適さなくなるおそれがある。
【００２３】
一方、陰極４４は、有機ＥＬ層４３（後述する電子輸送層４３４）に電子を注入する電極である。
この陰極４４は、有機ＥＬ層４３側に電子注入用電極層４４１と、有機ＥＬ層４３と反対側に透明電極層４４２とを備えている。
電子注入用電極層４４１は、透明電極層４４２から効率よく電子を引き抜き、有機ＥＬ層４３（電子輸送層４３４）に注入する機能を有するものである。
【００２４】
電子注入用電極層４４１は、仕事関数の小さい材料で構成するのが好ましい。このような材料としては、例えば、Ｌｉ、Ｍｇ、Ｃａ、Ｓｒ、Ｌａ、Ｃｅ、Ｅｒ、Ｅｕ、Ｓｃ、Ｙ、Ｙｂ、Ｃｓ、Ｒｂまたはこれらを含む合金等が挙げられ、これらのうちの１種または２種以上を組み合わせて用いることができる。
特に、合金を用いる場合には、Ａｇ、Ａｌ、Ｃｕ等の安定な金属元素を含む合金、具体的には、ＭｇＡｇ、ＡｌＬｉ、ＣｕＬｉ等の合金を用いるのが好ましい。かかる合金を電子注入材料として用いることにより、有機ＥＬ層４３への電子注入効率および安定性の向上を図ることができる。
【００２５】
電子注入用電極層４４１の厚さ（平均）は、０．１〜５０ｎｍ程度であるのが好ましく、０．５〜２０ｎｍ程度であるのがより好ましい。電子注入用電極層４４１の厚さが薄すぎると、電子注入用電極層４４１としての機能が充分に発揮されなくなるおそれがあり、一方、電子注入用電極層４４１が厚過ぎると、その構成材料の種類等によっては、光の透過率が著しく低下し、実用に適さなくなるおそれがある。
【００２６】
一方、透明電極層４４２は、前述した陽極４２と同様の構成材料、厚さとすることができる。
保護カバー４５は、有機ＥＬ層４３、陰極４４を覆うように陽極４２上に設けられている。
この保護カバー４５は、有機ＥＬ素子４を構成する各層４３、４４を封止し、酸素や水分を遮断する機能を有する。これにより、有機ＥＬ層４３の変質・劣化を防止して、有機ＥＬ素子４の信頼性を向上させることができる。
【００２７】
保護カバー４５の構成材料としては、例えば、各種樹脂材料、ガラス材料等を挙げられ、これらのうちの１種または２種以上を組み合わせて用いることができる。
これらの中でも、保護カバー４５（基板４１も同様）の構成材料としては、ガラス材料を主とするものが好ましい。ガラス材料は、光透過性に優れるため、保護カバー４５および基板４１を主としてガラス材料で構成することにより、有機ＥＬ素子４の光透過性の向上を図ることができる。
【００２８】
保護カバー４５の厚さ（平均）は、特に限定されないが、０．１〜３０ｍｍ程度であるのが好ましく、０．１〜１０ｍｍ程度であるのがより好ましい。
また、保護カバー４５の内部空間は、減圧状態とするか、または、窒素、アルゴン等の不活性ガスを充填するようにしてもよく、シリカゲル、モリクロナイトおよびモレキュラーシーブ等の乾燥剤を充填するようにしてもよい。これにより、有機ＥＬ層４３の酸化等の防止、保護カバー４５の内部空間の湿気等の除去が可能となり、有機ＥＬ素子４の耐久性の向上を図ることができる。
【００２９】
このような有機ＥＬ素子４では、一対の電極間（陽極４２と陰極４４との間）に通電（電圧を印加）すると、陽極４２から正孔が、また陰極４４から電子が、それぞれ、有機ＥＬ層４３に注入（供給）される。そして、正孔および電子が、それぞれ有機ＥＬ層４３中を移動して、その途中（後述する発光層４３３）において再結合する。この再結合に際して放出されたエネルギーによりエキシトン（励起子）が生成し、このエキシトンが基底状態に戻る際にエネルギー（蛍光やりん光）を放出（発光）する。すなわち、有機ＥＬ層４３が発光する。
【００３０】
なお、有機ＥＬ素子４では、陽極４２と陰極４４とが重なる部分の有機ＥＬ層４３が発光する。本実施形態では、図３に示すように、陽極４２が十字状とされ、一方、陰極４４がほぼ円盤状（円形の板状）とされている。これにより、陽極４２と陰極４４との間に電圧を印加すると、有機ＥＬ素子４は、十字状に発光し、副鏡３の十字線として機能する。
このような有機ＥＬ素子４が備える有機ＥＬ層４３の構成には、各種のものがあるが、以下に、その一例を図４に基づいて説明する。
【００３１】
＜有機ＥＬ層＞
図４に示す有機ＥＬ層４３は、陽極４２側から順に、正孔注入層４３１と、正孔輸送層４３２と、発光層４３３と、電子輸送層４３４との４層で構成されている。
正孔注入層４３１は、陽極４２から正孔を引き抜き、引き抜いた正孔を正孔輸送層４３２に効率よく注入する機能を有するものである。
【００３２】
また、正孔輸送層４３２は、正孔注入層４３１から注入された正孔を発光層４３３まで輸送する機能を有するものである。
これらの正孔注入層４３１および正孔輸送層４３２の構成材料（正孔輸送材料）は、それぞれ、正孔輸送能力を有するものであれば、いかなるものであってもよいが、共役系の化合物であるのが好ましい。共役系の化合物は、その特有な電子雲の広がりによる性質上、極めて円滑に正孔を輸送できるため、正孔輸送能力に特に優れる。
【００３３】
このような正孔輸送材料としては、例えば、１，１−ビス（４−ジ−パラ−トリアミノフェニル）シクロへキサン、１，１’−ビス（４−ジ−パラ−トリルアミノフェニル）−４−フェニル−シクロヘキサンのようなアリールシクロアルカン系化合物、４，４’，４’’−トリメチルトリフェニルアミン、Ｎ，Ｎ，Ｎ’，Ｎ’−テトラフェニル−１，１’−ビフェニル−４，４’−ジアミン、Ｎ，Ｎ'−ジフェニル−Ｎ，Ｎ’−ビス（３−メチルフェニル）−１，１’−ビフェニル−４，４'−ジアミン（ＴＰＤ１）、Ｎ，Ｎ'−ジフェニル−Ｎ，Ｎ'−ビス（４−メトキシフェニル）−１，１'−ビフェニル−４，４'−ジアミン（ＴＰＤ２）、Ｎ，Ｎ，Ｎ'，Ｎ'−テトラキス（４−メトキシフェニル）−１，１'−ビフェニル−４，４'−ジアミン（ＴＰＤ３）、Ｎ，Ｎ'−ジ（１−ナフチル）−Ｎ，Ｎ'−ジフェニル−１，１'−ビフェニル−４，４'−ジアミン（α−ＮＰＤ）、ＴＰＴＥ、ＭＴＤＡＴＡのようなアリールアミン系化合物、Ｎ，Ｎ，Ｎ'，Ｎ'−テトラフェニル−パラ−フェニレンジアミン、Ｎ，Ｎ，Ｎ'，Ｎ'−テトラ（パラ−トリル）−パラ−フェニレンジアミン、Ｎ，Ｎ，Ｎ'，Ｎ'−テトラ（メタ−トリル）−メタ−フェニレンジアミン（ＰＤＡ）のようなフェニレンジアミン系化合物、カルバゾール、Ｎ−イソプロピルカルバゾール、Ｎ−フェニルカルバゾールのようなカルバゾール系化合物、スチルベン、４−ジ−パラ−トリルアミノスチルベンのようなスチルベン系化合物、ＯｘＺのようなオキサゾール系化合物、トリフェニルメタン、ｍ−ＭＴＤＡＴＡのようなトリフェニルメタン系化合物、１−フェニル−３−（パラ−ジメチルアミノフェニル）ピラゾリンのようなピラゾリン系化合物、ベンジン（シクロヘキサジエン）系化合物、トリアゾールのようなトリアゾール系化合物、イミダゾールのようなイミダゾール系化合物、１，３，４−オキサジアゾール、２，５−ジ（４−ジメチルアミノフェニル）−１，３，４，−オキサジアゾールのようなオキサジアゾール系化合物、アントラセン、９−（４−ジエチルアミノスチリル）アントラセンのようなアントラセン系化合物、フルオレノン、２，４，７，−トリニトロ−９−フルオレノン、２，７−ビス（２−ヒドロキシ−３−（２−クロロフェニルカルバモイル）−１−ナフチルアゾ）フルオレノンのようなフルオレノン系化合物、ポリアニリンのようなアニリン系化合物、シラン系化合物、ポリチオフェン、ポリ（チオフェンビニレン）のようなチオフェン系化合物、ポリ（２，２’−チエニルピロール）、１，４−ジチオケト−３，６−ジフェニル−ピロロ−（３，４−ｃ）ピロロピロールのようなピロール系化合物、フローレンのようなフローレン系化合物、ポルフィリン、金属テトラフェニルポルフィリンのようなポルフィリン系化合物、キナクリドンのようなキナクリドン系化合物、フタロシアニン、銅フタロシアニン、テトラ（ｔ−ブチル）銅フタロシアニン、鉄フタロシアニンのような金属または無金属のフタロシアニン系化合物、銅ナフタロシアニン、バナジルナフタロシアニン、モノクロロガリウムナフタロシアニンのような金属または無金属のナフタロシアニン系化合物、Ｎ，Ｎ’−ジ（ナフタレン−１−イル）−Ｎ，Ｎ’−ジフェニル−ベ��ジジン（ＮＰＢ）、Ｎ，Ｎ，Ｎ’，Ｎ’−テトラフェニルベンジジンのようなベンジジン系化合物等が挙げられ、これらのうちの１種または２種以上を組み合わせて用いることができる。これらのものは、いずれも、高い正孔輸送能力を有している。
【００３４】
これらの化合物は、モノマーやオリゴマー（低分子の正孔輸送材料）や、これらの化合物を主鎖または側鎖に有するプレポリマーやポリマー（高分子の正孔輸送材料）として用いることができる。
その他の正孔輸送材料としては、例えば、ポリ（３，４−エチレンジオキシチオフェン／スチレンスルホン酸）（ＰＥＤＴ／ＰＳＳ）のようなポリ（チオフェン／スチレンスルホン酸）系化合物等の高分子の正孔輸送材料を用いることもできる。
【００３５】
また、正孔輸送材料は、以上のような化合物のうちの１種または２種以上を組み合わせて用いることができる。
なお、正孔注入層４３１と正孔輸送層４３２とは、それぞれ、これらの材料から適宜選択した材料を用いて構成するようにすればよいが、正孔注入層４３１の構成材料として、正孔輸送層４３２の構成材料より仕事関数の大きいものを選択するのが好ましい。これにより、陽極４２から発光層４３３へ、より効率よく正孔を輸送することができる。
【００３６】
正孔注入層４３１および正孔輸送層４３２の厚さ（平均）は、それぞれ、特に限定されないが、正孔注入層４３１では、１〜５０ｎｍ程度であるのが好ましく、５〜２０ｎｍ程度であるのがより好ましく、一方、正孔輸送層４３２では、１０〜１５０ｎｍ程度であるのが好ましく、３０〜１００ｎｍ程度であるのがより好ましい。
正孔注入層４３１および正孔輸送層４３２の厚さが薄すぎると、ピンホールが生じるおそれがあり、一方、正孔注入層４３１および正孔輸送層４３２が厚過ぎると、正孔注入層４３１および正孔輸送層４３２透過率が悪くなる原因となり、有機ＥＬ素子４の発光色の色度（色相）が変化してしまうおそれがある。
【００３７】
なお、正孔注入層４３１は、必要に応じて、省略することもできる。
電子輸送層４３４は、電子注入用陰極層４４１から注入された電子を発光層４３３まで輸送する機能を有するものである。
電子輸送層４３４の構成材料（電子輸送材料）としては、例えば、１，３，５−トリス［（３−フェニル−６−トリ−フルオロメチル）キノキサリン−２−イル］ベンゼン（ＴＰＱ１）、１，３，５−トリス［｛３−（４−ｔ−ブチルフェニル）−６−トリスフルオロメチル｝キノキサリン−２−イル］ベンゼン（ＴＰＱ２）のようなベンゼン系化合物（スターバースト系化合物）、ナフタレンのようなナフタレン系化合物、フェナントレン、２，９−ジメチル−４，７ジフェニル−１，１０−フェナントレン（ＢＣＰ）のようなフェナントレン系化合物、クリセンのようなクリセン系化合物、ペリレンのようなペリレン系化合物、アントラセンのようなアントラセン系化合物、ピレンのようなピレン系化合物、アクリジンのようなアクリジン系化合物、スチルベンのようなスチルベン系化合物、ＢＢＯＴのようなチオフェン系化合物、ブタジエンのようなブタジエン系化合物、クマリンのようなクマリン系化合物、キノリンのようなキノリン系化合物、ビスチリルのようなビスチリル系化合物、ピラジン、ジスチリルピラジンのようなピラジン系化合物、キノキサリンのようなキノキサリン系化合物、ベンゾキノン、２，５−ジフェニル−パラ−ベンゾキノンのようなベンゾキノン系化合物、ナフトキノンのようなナフトキノン系化合物、アントラキノンのようなアントラキノン系化合物、オキサジアゾール、２−（４−ビフェニリル）−５−（４−ｔ−ブチルフェニル）−１，３，４−オキサジアゾール（ＰＢＤ）、ＯＸＤ、ＢＭＤ、ＢＮＤ、ＢＤＤ、ＢＡＰＤのようなオキサジアゾール系化合物、トリアゾール、３，４，５−トリフェニル−１，２，４−トリアゾールのようなトリアゾール系化合物、オキサゾール系化合物、アントロンのようなアントロン系化合物、フルオレノン、１，３，８−トリニトロ−フルオレノン（ＴＮＦ）のようなフルオレノン系化合物、ジフェノキノン、ＭＢＤＱのようなジフェノキノン系化合物、スチルベンキノン、ＭＢＳＱのようなスチルベンキノン系化合物、アントラキノジメタン系化合物、チオピランジオキシド系化合物、フルオレニリデンメタン系化合物、ジフェニルジシアノエチレン系化合物、フローレンのようなフローレン系化合物、フタロシアニン、銅フタロシアニン、鉄フタロシアニンのような金属または無金属のフタロシアニン系化合物、トリス（８−ヒドロキシキノリン）アルミニウム（Ａｌｑ３）、ベンゾオキサゾールやベンゾチアゾールを配位子とする錯体のような各種金属錯体等が挙げられる。
【００３８】
また、電子輸送材料は、以上のような化合物のうちの１種または２種以上を組み合わせて用いることができる。
電子輸送層４３４の厚さ（平均）は、特に限定されないが、１〜１００ｎｍ程度であるのが好ましく、５〜４０ｎｍ程度であるのがより好ましい。電子輸送層４３４の厚さが薄すぎると、ピンホールが生じショートするおそれがあり、一方、電子輸送層４３４が厚過ぎると、抵抗値が高くなるおそれがある。
【００３９】
発光層４３３は、陽極４２と陰極４４との間への電圧印加時に、陽極４２側から正孔を、陰極４４側から電子を注入することができ、正孔と電子が再結合する場として機能するものである。
この発光層４３３の構成材料（発光材料）としては、以下に示すような、各種低分子の発光材料、各種高分子の発光材料があり、これらのうちの１種または任意の２種以上を組み合わせて用いることができる。
【００４０】
低分子の発光材料としては、例えば、ジスチリルベンゼン（ＤＳＢ）、ジアミノジスチリルベンゼン（ＤＡＤＳＢ）のようなベンゼン系化合物、ナフタレン、ナイルレッドのようなナフタレン系化合物、フェナントレンのようなフェナントレン系化合物、クリセン、６−ニトロクリセンのようなクリセン系化合物、ペリレン、Ｎ，Ｎ’−ビス（２，５−ジ−ｔ−ブチルフェニル）−３，４，９，１０−ペリレン−ジ−カルボキシイミド（ＢＰＰＣ）のようなペリレン系化合物、コロネンのようなコロネン系化合物、アントラセン、ビススチリルアントラセンのようなアントラセン系化合物、ピレンのようなピレン系化合物、４−（ジ−シアノメチレン）−２−メチル−６−（パラ−ジメチルアミノスチリル）−４Ｈ−ピラン（ＤＣＭ）のようなピラン系化合物、アクリジンのようなアクリジン系化合物、スチルベンのようなスチルベン系化合物、２，５−ジベンゾオキサゾールチオフェンのようなチオフェン系化合物、ベンゾオキサゾール、ＯＸＤのようなベンゾオキサゾール系化合物、ベンゾイミダゾールのようなベンゾイミダゾール系化合物、２，２’−（パラ−フェニレンジビニレン）−ビスベンゾチアゾールのようなベンゾチアゾール系化合物、ビスチリル（１，４−ジフェニル−１，３−ブタジエン）、テトラフェニルブタジエンのようなブタジエン系化合物、ナフタルイミドのようなナフタルイミド系化合物、クマリンのようなクマリン系化合物、ペリノンのようなペリノン系化合物、オキサジアゾールのようなオキサジアゾール系化合物、アルダジン系化合物、１，２，３，４，５−ペンタフェニル−１，３−シクロペンタジエン（ＰＰＣＰ）のようなシクロペンタジエン系化合物、キナクリドン、キナクリドンレッドのようなキナクリドン系化合物、ピロロピリジン、チアジアゾロピリジンのようなピリジン系化合物、２，２’，７，７’−テトラフェニル−９，９’−スピロビフルオレンのようなスピロ化合物、フタロシアニン（Ｈ２Ｐｃ）、銅フタロシアニンのような金属または無金属のフタロシアニン系化合物、フローレンのようなフローレン系化合物、トリス（８−ヒドロキシキノリノレート）アルミニウム（Ａｌｑ３）、トリス（８−キノリノレート）アルミニウム（Ａｌｑ）、トリス（４−メチル−８キノリノレート）アルミニウム（III）（Ａｌｍｑ３）、（８−ヒドロキシキノリノレート）亜鉛（Ｚｎｑ２）、（１，１０−フェナントロリン）−トリス−（４，４，４−トリフルオロ−１−（２−チエニル）−ブタン−１，３−ジオネート）ユーロピウム（III）（Ｅｕ（ＴＴＡ）３（ｐｈｅｎ））、ファクトリス（２−フェニルピリジン）イリジウム（Ｉｒ（ｐｐｙ）３）、（２，３，７，８，１２，１３，１７，１８−オクタエチル−２１Ｈ，２３Ｈ−ポルフィン）プラチナム（II）のような各種金属錯体等が挙げられる。
【００４１】
一方、高分子の発光材料としては、例えば、トランス型ポリアセチレン、シス型ポリアセチレン、ポリ（ジ−フェニルアセチレン）（ＰＤＰＡ）、ポリ（アルキル，フェニルアセチレン）（ＰＡＰＡ）のようなポリアセチレン系化合物、ポリ（パラ−フェンビニレン）（ＰＰＶ）、ポリ（２，５−ジアルコキシ−パラ−フェニレンビニレン）（ＲＯ−ＰＰＶ）、シアノ−置換−ポリ（パラ−フェンビニレン）（ＣＮ−ＰＰＶ）、ポリ（２−ジメチルオクチルシリル−パラ−フェニレンビニレン）（ＤＭＯＳ−ＰＰＶ）、ポリ（２−メトキシ，５−（２’−エチルヘキソキシ）−パラ−フェニレンビニレン）（ＭＥＨ−ＰＰＶ）のようなポリパラフェニレンビニレン系化合物、ポリ（３−アルキルチオフェン）（ＰＡＴ）、ポリ（オキシプロピレン）トリオール（ＰＯＰＴ）のようなポリチオフェン系化合物、ポリ（９，９−ジアルキルフルオレン）（ＰＤＡＦ）、α，ω−ビス［Ｎ，Ｎ’−ジ（メチルフェニル）アミノフェニル］−ポリ［９，９−ビス（２−エチルヘキシル）フルオレン−２，７−ジル］（ＰＦ２／６ａｍ４）、ポリ（９，９−ジオクチル−２，７−ジビニレンフルオレニル−オルト−コ（アントラセン−９，１０−ジイル）のようなポリフルオレン系化合物、ポリ（パラ−フェニレン）（ＰＰＰ）、ポリ（１，５−ジアルコキシ−パラ−フェニレン）（ＲＯ−ＰＰＰ）のようなポリパラフェニレン系化合物、ポリ（Ｎ−ビニルカルバゾール）（ＰＶＫ）のようなポリカルバゾール系化合物、ポリ（メチルフェニルシラン）（ＰＭＰＳ）、ポリ（ナフチルフェニルシラン）（ＰＮＰＳ）、ポリ（ビフェニリルフェニルシラン）（ＰＢＰＳ）のようなポリシラン系化合物等が挙げられる。
【００４２】
発光層４３３の厚さ（平均）は、特に限定されないが、５〜１５０ｎｍ程度であるのが好ましく、１０〜８０ｎｍ程度であるのがより好ましい。発光層の厚さを前記範囲とすることにより、正孔と電子との再結合が効率よくなされ、発光層４３３の発光効率をより向上させることができる。
本実施形態の有機ＥＬ層４３では、発光層４３３は、正孔輸送層４３２および電子輸送層４３４と別個に設けられているが、正孔輸送層４３２と発光層４３３とを兼ねた正孔輸送性発光層や、電子輸送層４３４と発光層４３３とを兼ねた電子輸送性発光層とすることもできる。この場合、正孔輸送性発光層の電子輸送層４３４との界面付近が、また、電子輸送性発光層の正孔輸送層４３２との界面付近が、それぞれ、発光層４３３として機能する。
【００４３】
また、正孔輸送性発光層を用いた場合には、陽極４２から正孔輸送性発光層に注入された正孔が電子輸送層４３３によって閉じこめられ、また、電子輸送性発光層を用いた場合には、陰極４４から電子輸送性発光層に注入された電子が電子輸送層４３２に閉じこめられるため、いずれも、正孔と電子との再結合効率を向上させることができるという利点がある。
以上説明したような有機ＥＬ素子４は、例えば、次のようにして製造することができる。
【００４４】
＜有機ＥＬ素子の製造方法＞
［１］  まず、ほぼ円盤状の基板４１を用意し、この基板４１上に、十字状の陽極４２を形成する。
陽極４２は、例えば、プラズマＣＶＤ、熱ＣＶＤ、レーザーＣＶＤのような化学蒸着法（ＣＶＤ）、真空蒸着、スパッタリング、イオンプレーティング等の乾式メッキ法、ゾル・ゲル法、ＭＯＤ法、金属箔の接合等を用いて成膜する。
次に、この膜上に、フォトリソグラフィー法により、十字状のレジスト膜を形成する。
次に、レジスト膜をマスクに用いて、エッチング（ウェットエッチング、ドライエッチング）することにより、前記膜を十字状にパターニングして、陽極４２を得る。
【００４５】
［２］  次に、陽極４２上に正孔注入層４３１を形成する。
正孔注入層４３１は、例えば、前述したような正孔輸送材料を溶媒に溶解または分散媒に分散してなる正孔注入層材料（正孔注入層形成用材料）を、陽極４２上に塗布して形成することができる。
この塗布には、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法等の各種塗布法を用いることができる。かかる塗布法によれば、正孔輸送層４１を比較的容易に形成することができる。
【００４６】
正孔輸送材料を溶解する溶媒または分散する分散媒としては、例えば、硝酸、硫酸、アンモニア、過酸化水素、水、二硫化炭素、四塩化炭素、エチレンカーボネイト等の無機溶媒や、メチルエチルケトン（ＭＥＫ）、アセトン、ジエチルケトン、メチルイソブチルケトン（ＭＩＢＫ）、メチルイソプロピルケトン（ＭＩＰＫ）、シクロヘキサノン等のケトン系溶媒、メタノール、エタノール、イソプロパノール、エチレングリコール、ジエチレングリコール（ＤＥＧ）、グリセリン等のアルコール系溶媒、ジエチルエーテル、ジイソプロピルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）、ジエチレングリコールエチルエーテル（カルビトール）等のエーテル系溶媒、メチルセロソルブ、エチルセロソルブ、フェニルセロソルブ等のセロソルブ系溶媒、ヘキサン、ペンタン、ヘプタン、シクロヘキサン等の脂肪族炭化水素系溶媒、トルエン、キシレン、ベンゼン等の芳香族炭化水素系溶媒、ピリジン、ピラジン、フラン、ピロール、チオフェン、メチルピロリドン等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、ジクロロメタン、クロロホルム、１，２−ジクロロエタン等のハロゲン化合物系溶媒、酢酸エチル、酢酸メチル、ギ酸エチル等のエステル系溶媒、ジメチルスルホキシド（ＤＭＳＯ）、スルホラン等の硫黄化合物系溶媒、アセトニトリル、プロピオニトリル、アクリロニトリル等のニトリル系溶媒、ギ酸、酢酸、トリクロロ酢酸、トリフルオロ酢酸等の有機酸系溶媒のような各種有機溶媒、または、これらを含む混合溶媒等が挙げられる。
【００４７】
得られた塗膜には、必要に応じて、例えば大気中、不活性雰囲気中、減圧（または真空）下等において熱処理を施すようにしてもよい。これにより、例えば、塗膜の乾燥（脱溶媒または脱分散媒）、正孔輸送材料の重合等を行うことができる。なお、塗膜は、熱処理によらず乾燥してもよい。
また、低分子の正孔輸送材料を用いる場合、正孔注入層材料中には、必要に応じて、バインダー（高分子バインダー）を添加するようにしてもよい。
【００４８】
バインダーとしては、電荷輸送を極度に阻害せず、かつ、可視光の吸収率が低いものを用いるのが好ましく、具体的には、ポリエチレンオキサイド、ポリビニリデンフロライド、ポリカーボネート、ポリアクリレート、ポリメチルアクリレート、ポリメチルメタクリレート、ポリスチレン、ポリ塩化ビニル、ポリシロキサン等のうちの１種または２種以上を組み合わせて用いることができる。また、このバインダーには、前述したような高分子の正孔輸送材料を用いるようにしてもよい。
また、低分子の正孔輸送材料を用いる場合、正孔注入層４３１は、例えば真空蒸着法等を用いて形成することもできる。
【００４９】
［３］  次に、正孔注入層４３１上に正孔輸送層４３２を形成する。
正孔輸送層４３２は、正孔注入層４３１と同様にして形成することができる。すなわち、正孔輸送層４３２は、正孔注入層４３１に用いた正孔輸送材料と異なる正孔輸送材料を用いて、正孔注入層４３１で説明したような方法により形成することができる。
［４］  次に、正孔輸送層４３２上に発光層４３３を形成する。
発光層４３３は、正孔注入層４３１と同様にして形成することができる。すなわち、発光層４３３は、前述したような発光材料を用いて、正孔注入層４３１で説明したような方法により形成することができる。
【００５０】
［５］  次に、発光層４３３上に電子輸送層４３４を形成する。
電子輸送層４３４は、正孔注入層４３１と同様にして形成することができる。すなわち、電子輸送層４３４は、前述したような電子輸送材料を用いて、正孔注入層４３１で説明したような方法により形成することができる。
［６］  次に、電子輸送層４３４上に電子注入用電極層４４１を形成する。
電子注入用電極層４４１は、例えば、真空蒸着法、スパッタリング法、金属箔の接合等を用いて形成することができる。
【００５１】
［７］  次に、電子注入用電極層４４１上に透明陰極層４４２を形成する。
透明陰極層４４２は、例えば、プラズマＣＶＤ、熱ＣＶＤ、レーザーＣＶＤのような化学蒸着法（ＣＶＤ）、真空蒸着、スパッタリング、イオンプレーティング等の乾式メッキ法、電解メッキ、浸漬メッキ、無電解メッキ等の湿式メッキ法、溶射法、ゾル・ゲル法、ＭＯＤ法、金属箔の接合等を用いて形成することができる。
【００５２】
［８］  次に、陽極４２、有機ＥＬ層４３および陰極４４を覆うように、基板４１上に保護カバー４５を設け、封止する。
保護カバー４５は、例えば、前述したような材料で構成される箱状の部材を、減圧下または不活性ガス雰囲気中にて、各種硬化性樹脂（接着剤）を用いて、基板４１に接合すること等により形成する（設ける）ことができる。
【００５３】
硬化性樹脂には、熱硬化性樹脂、光硬化性樹脂、反応性硬化樹脂、嫌気性硬化樹脂のいずれも使用可能である。
以上のような工程を経て、有機ＥＬ素子４が製造される。
ここで、図５に、有機ＥＬ素子４が備える電極（陽極４２）の他の構成例を示す。
図３に示す陽極４２は、帯状体をほぼ直交するように交差させた十字状をなしていたが、図５に示す陽極４２は、十字を構成する帯状体に、それぞれ、ほぼ直交する短い帯状体を設けた構成とされている。
【００５４】
この短い帯状体は、ほぼ等間隔で設けられ、例えば目盛等として機能する。これにより、２天体の大まかななす角や２天体間の距離を測定することができる。
また、本実施形態では、陽極４２が十字状であり、陰極４４がほぼ円盤状である構成について示したが、陽極４２および陰極４４の双方の電極を十字状とすることもできる。
以上、本発明の光学機器について説明したが、本発明は、これに限定されるものではない。
【００５５】
例えば、前記実施形態では、本発明の光学機器を天体望遠鏡に適用した場合を代表に説明したが、本発明の光学機器は、顕微鏡、双眼鏡、測量用計器、カメラおよびビデオカメラ等に適用することもできる。そして、これらの光学機器の指標に、有機ＥＬ素子で構成される。
指標を有機ＥＬ素子で構成することにより、前述したような効果に加えて、複雑なパターンおよび色の指標とすることができる。この場合、指標の発光パターンおよび発色パターンは、有機ＥＬ素子への通電方法を変更することにより、自由に選択することができる。
さらに、この指標をドットマトリクス表示にすることにより、任意の形状を表示し得る指標とすることができる。
【図面の簡単な説明】
【００５６】
【図１】本発明の光学機器を天体望遠鏡に適用した場合の実施形態を示す斜視図。
【図２】図１に示す天体望遠鏡が備える副鏡の内部構成を示す図。
【図３】図２に示す副鏡が備える十字線を構成する有機エレクトロルミネッセンス素子の分解斜視図。
【図４】図３に示す有機エレクトロルミネッセンス素子の縦断面図。
【図５】図３に示す有機エレクトロルミネッセンス素子が備える電極の他の構成例を示す平面図。
【符号の説明】
【００５７】
１‥‥天体望遠鏡  ２‥‥主鏡  ３‥‥副鏡  ３０‥‥鏡筒  ３１‥‥対物レンズ系  ３１１‥‥両凹レンズ  ３１２‥‥両凸レンズ  ３２‥‥接眼レンズ系  ３２１‥‥平凸レンズ  ３２２‥‥両凹レンズ  ３２３‥‥両凸レンズ  ４‥‥有機ＥＬ素子  ４１‥‥基板  ４２‥‥陽極  ４３‥‥有機ＥＬ層  ４３１‥‥正孔注入層  ４３２‥‥正孔輸送層  ４３３‥‥発光層  ４３４‥‥電子輸送層  ４４‥‥陰極  ４４１‥‥電子注入用陰極層  ４４２‥‥透明陰極層  ４５‥‥保護カバー
【図１】
2005140867.tif 000003
【図２】
2005140867.tif 000004
【図３】
2005140867.tif 000005
【図４】
2005140867.tif 000006
【図５】
2005140867.tif 000007